Podtech/llm-jp-corpus-v4-ja_patent huggingface dataset:
(57)【要約】【課題】  従来のトレーニング理論では、「力の源」「力の出所」が間違っており、その結果、誤ったうごきとなり、「キレ」を落とすことになる。  また「身体の一部分」への過剰意識が、「力の伝達」をも見失うことを助長している。  つまり、従来のトレーニング理論では、理にかなったうごきが実現できない。【解決手段】  身体の中心は「骨盤」で、そこから「三本の脚」が生えていて、「骨盤力」である「お尻の筋肉」をしっかり使い、「三本の脚」をリラックスさせる−「噛まない」「踏まない」「握らない」−ことにより、より理にかなったうごきを実現することができる。【選択図】  なし【特許請求の範囲】
【請求項１】
ヒトは能動的に関節を伸展させ、受動的に関節を屈曲する特性を持つ、という発見。
【請求項２】
ヒトは、骨盤から「左右の下肢」および「脊柱」という「三本の脚」を持った生物である、という理論。
【請求項３】
中心の筋出力は「末端の骨」に伝達する、という理論。
【請求項４】
末端の筋の緊張が「中心の筋出力」「骨のうごき」を阻害すると同時に、末端の筋のリラックスが「骨のうごき」を良くし、「キレ」を生む、という理論。
【発明の詳細な説明】
【技術分野】
【０００１】  本発明は、あらゆるスポーツ技術・ウエイトトレーニングのフォームなどのポイントを、「脚をリラックスさせてお尻をしめるという１点」に簡潔化させた理論である。また運動生理学・解剖学に従った裏づけのある、「理にかなったうごきを実現させる」理論である。
【背景技術】
【０００２】  従来、身体の中心は「体幹部」「脊柱」とされていたが、そこから力を出すと、かえって「無駄な力み」となり、とくにダンス系の運動ではうごきを硬くする要因にもなる。また「パンチ」や「スイング」で、体幹部とくに脇腹から力を出すと、かえって捻り過ぎて「キレ」を落としかねない。
さらに挙げると、身体の特性である「中心の筋収縮で末端の骨が勝手に動かされる」という事実に背いているかのように、スポーツ技術、ウエイトトレーニングなどは「末端のうごき」に過剰意識となっており、「力の源」「力の出所」さえも見失っている。だから、ウエイトトレーニングや様々なトレーニングが真のスポーツ補強とならないのである。
つまり、従来のトレーニング理論では、「理にかなったうごき」が望めないのである。
【発明の開示】
【発明が解決しようとする課題】
【０００３】  これには次のような欠点があった。
（イ）「脊柱動物」という観点に縛られすぎて、真の身体の中心が見逃されている点。
（ロ）「身体の一部分のうごき」に囚われて、「力の源」「力の出所」を見失い、うごきの全体像が誤解されている点。
本発明は、以上のような欠点をなくし、「本当に理にかなったうごき」を実現させるために開発されたものである。
【課題を解決させるための手段】
【０００４】  まず、「脊柱は上部が末端で下部が中心」、という事実をもとに、脊柱を「骨盤から生えた三本目の脚」と捉えることにより、真の中心を「骨盤」と捉えることができる。
つまり、力の出所である「骨盤」からの筋出力を活かすためには、脊柱を含めた「三本の脚」が「リラックス」していなければならない。
また、たとえば「歩行」においては、後方スイング（股関節伸展）された脚が勝手に前に出る（股関節屈曲）ので、自発的に脚を前に出すと腰が落ちて「醜い歩行」となる。これが意味するのは、ヒトの関節は「能動的に伸展、受動的に屈曲する」ということである。つまり、「骨盤力」とは「お尻の力」ということになる。
まとめると、「お尻」をしめて、それ以外の部位を「リラックス」させる一具体的には「噛まない」「踏まない」「握らない」一ことが「もっとも理にかなううごき」である発見により、課題を解決できるのである。
【発明の効果】
【０００５】  まずは「スポーツ技術」がよりシンプルになり、細かい技術も「結果的に」上達しやすくなる。たとえば「ゴルフのスイング」（右利き）では、肘や脇にこだわるよりも、バックスイング時に「右のお尻」をしめ、スイング開始には真っ先に「左のお尻」をしめるようにすればいいのである。それが出来た上で、肘など「細かい技術」を見直していけばいいのである。
つぎに「ウエイトトレーニング」も、単なる個々の筋力強化ではなく、「正しい身体の使い方を学べるトレーニング」となり、当然その副産物として「力の伝達ができた筋力向上」も望め、それらの結果、スポーツパフォーマンスをもっと高めることが出来る。
あとは、「歩行」などの日常動作においても、より美しく動けるので、女性の美容にもなる。
【発明を実施するための最良の形態】
【０００６】  まずは、「日常生活のうごき」から見直すことが先決である。たとえばピラミッドで考えると、ウエイトトレーニングも含めた「スポーツ動作」というレベルの「さらに下にある土台」をしっかり固めることの重要性をあげている。
その上での「スポーツ補強・ウエイトトレーニング」「姿勢・ボディラインの改善」であれば、結果は出やすいのである。（実証済み）
(57)【要約】【課題】いつでも入れたての茶を注ぐことが出来る茶こし網つきの水筒を提供する。【解決手段】水筒本体（１）の内蓋（２）、内蓋（４）に茶こし用の網部（３）、茶こし用の網部（５）を設けたことを特徴とする。【選択図】  図１
2004313718.tif 000002
【特許請求の範囲】
【請求項１】
水筒の内蓋に茶こし用の網を設けた水筒。
【請求項２】
水筒内に茶こし用の網を設けた水筒。
【発明の詳細な説明】
【０００１】
【発明の属する技術分野】
本発明は水筒内に茶こし網を設けた茶こし網つき水筒に関するものである。
【０００２】
【従来の技術】
従来より、水筒で茶を飲む場合には、あらかじめお茶や紅茶を作り、水筒の中に入れている。
また、水筒本体の側面に取り付けられた茶こし装置が使用されている。（例えば特許文献１参照）
【０００３】
【特許文献１】
特開平９−２９９２５０号
【０００４】
【発明が解決しようとする課題】
これには、次のような欠点があった。
これまで、お茶を入れるには、お茶のかすをこすための茶こし用具を準備しておかなければならず、携帯にも不便であり、「特開平９−２９９２５０号」のような携帯用茶こし装置をつけた場合でも、水筒の携帯性が損なわれる。
又、お茶や紅茶を水筒に入れて持ち運んだ場合、時間と共に酸化して風味や色が損なわれるという問題がある。
本発明は、これらの欠点を解決するために発明されたものである。
【０００５】
【課題を解決するための手段】
水筒本体（１）の内蓋（２）、内蓋（４）に茶こし網部（３）、茶こし網部（５）を設け、中に茶葉やティーバッグを入れる。
茶こし網（８）、茶こし網蓋（９）は、内蓋（７）と別体にしてもよい。
本発明は、以上のような構成によりなる茶こし網つき水筒である。
【０００６】
【発明の実施の形態】
以下、本発明の一例の水筒を図示し、実施の形態について説明する。
水筒本体（１）の内蓋（２）、内蓋（４）に、茶こし網部（３）、茶こし網部（５）を設ける。
本発明は、以上のような構造で、これを使用するときは、
（イ）  内蓋（２）、内蓋（４）内に茶葉やティーバッグを入れて、内蓋（２）と内蓋（４）を閉める。
（ロ）  茶葉、ティーバッグを茶こし用の網（８）に入れ、それを水筒本体（１）に入れ、茶こし用網蓋（９）を茶こし用網（８）にかぶせ、内蓋（７）を閉める。
【０００７】
【発明の効果】
本発明の水筒を使用した場合には、茶こし用具を携帯する必要がなく、どこでも簡単に入れたてのお茶や紅茶を注ぐことが出来るという優れた利点がある。
【図面の簡単な説明】
【図１】本発明の水筒の内蓋に茶こし用の網を設けた水筒の一形態としての中央縦断面図である。
【図２】本発明の水筒の内蓋の一形態としての内蓋の分解斜視図である。
【図３】本発明の水筒内に茶こし用の網を設けた水筒の一形態としての中央縦断面図である。
【図４】本発明の茶こし網の一形態としての茶こし網の分解斜視図である。
【符号の説明】
１  水筒本体
２  内蓋
３  内蓋（２）の網部分
４  内蓋
５  内蓋（４）の網部分
６  止水弁
７  内蓋
８  茶こし用の網
９  茶こし用の網蓋
【図１】
2004313718.tif 000003
【図２】
2004313718.tif 000004
【図３】
2004313718.tif 000005
【図４】
2004313718.tif 000006
(57)【要約】【課題】ビーズアクセサリー製作時における、ビーズの穴にテグスを通す作業を容易にし、残ったビーズを簡単に片付けられるビーズトレイを提供する。【解決手段】軟質プラスチック板からなるトレイ（１）の上縁より、横断上に立ち上げ線（３）の折り目を設ける。トレイ（１）の上縁から中央に向けて注ぎ線（４）の折り目を設ける。トレイ（１）の注ぎ口（２）を除いた部分の周囲に紐（６）をのせ、バイヤステープで包み、縁（５）を形成する。【選択図】  図１
2004313720.tif 000002
【特許請求の範囲】
【請求項１】
トレイ（１）に、立ち上げ線（３）と注ぎ線（４）を設け、注ぎ口（２）を除いた部分の周囲に紐（６）をのせ、バイヤステープで包み縁（５）を形成するビーズアクセサリー製作用トレイ。
【発明の詳細な説明】
【０００１】
【発明の属する技術分野】
この発明は、ビーズアクセサリー製作時に、ビーズの穴にテグスを通す作業を容易にし、残ったビーズを簡単に片付けられるビーズトレイに関するものである。
【０００２】
【従来の技術】
従来、球体状からなる穴のあいたビーズでアクセサリー製作をする時は、手でビーズの穴にテグスを通していた。
【０００３】
【発明が解決しようとする課題】
そのために次のような問題点があった。
イ．手でビーズの穴にテグスを通すのは難しく、製作するのに時間がかかった。
ロ．残ったビーズを片付けるときに、こぼれてしまう事が多かった。
本発明は、以上の問題点を解決するためになされたものである。
【０００４】
【課題を解決するための手段】
軟質プラスチック板からなるトレイ（１）の上縁より、横断上に立ち上げ線（３）の折り目を設ける。トレイ（１）の上縁から中央に向けて注ぎ線（４）の折り目を設ける。トレイ（１）の注ぎ口（２）を除いた部分の周囲に紐（６）をのせ、バイヤステープで包み、縁（５）を形成する。
本発明は、以上の構成よりなるビーズアクセサリー製作用トレイである。
【０００５】
【発明の実施の形態】
以下、本発明の形態を図１、図３、図４で説明する。
（イ）軟質プラスチック板からなるトレイ（１）の上縁より１／３下方の位置に、横断上の立ち上げ線（３）の折り目を設ける。トレイ（１）の上縁中央を注ぎ口（２）とし、注ぎ口（２）よりトレイの中心に向けて、注ぎ線（４）の折り目を設ける。
（ロ）トレイ（１）の注ぎ口（２）を除いた部分の周囲に紐（６）をのせ、バイヤステープで包み、縁（５）を形成する。
本発明の形態は以上の構成よりなっている。
本発明を使用するときは、立ち上げ線（３）の折り目より若干の角度をつけて折り目を形成する。複数のビーズ（７）をトレイ（１）にのせ、ビーズ（７）を滑らせながら立ち上げ線（３）の角度を利用して、ビーズ（７）の穴にテグス（８）を通す。これにより確実に素早くビーズの穴にテグスを通すことができる。残ったビーズ（７）は、注ぎ線（４）を利用してビーズを注ぎ口（２）よりまとめて別の容器（９）にこぼさずに収納できる。
【０００６】
【発明の効果】
本発明を使用することによって、ビーズアクセサリーの製作時に、ビーズの穴にテグスを通す作業が容易になり、残ったビーズも簡単に片付けられる。
【図面の簡単な説明】
【図１】本発明の斜視図
【図２】本発明の分解斜視図
【図３】本発明の使用状態を示す斜視図
【図４】本発明の使用状態を示す斜視図
【符号の説明】
１  トレイ
２  注ぎ口
３  立ち上げ線
４  注ぎ線
５  縁
６  紐
７  ビーズ
８  テグス
９  容器
【図１】
2004313720.tif 000003
【図２】
2004313720.tif 000004
【図３】
2004313720.tif 000005
【図４】
2004313720.tif 000006
(57)【要約】【課題】この発明は、弾力性を持つ板バネを書見台に取り付けて、書見台が下に動く様にし、指で書見台を下に押し動かし、次に、指を放す事で読みたい本のページを固定させる装置に関するものである。【解決手段】主板１に弾力性を持つ板バネ２を取り付ける主板１の下部裏面に、ページ止め４の付いたページ止め軸受け８をビス７で取り付ける。リング５をページ止め４を通して台板３に取り付け装着する。【選択図】図２
2004313712.tif 000002
【特許請求の範囲】
【請求項１】
主板１に台板３を弾力性を持つ板バネ２で取り付け、台板３を押すと台板３が下に動き、放すと台板３が上に動いて元の位置に戻る書見台
【請求項２】
ページ止め４と台板３がリング５で一体となっており、台板３を下に押し動かすとページ止め４も下に動き、
ページ止め軸受け８を中心に回転してページ止め４の先端が上にあがる書見台
【発明の詳細な説明】
【０００１】
本発明は両端が下に動く書見台で、読書中に読み終えたページを指で下に押して動かし、次に指を放す事で本のページを固定させるものである。
又、折りたたみ式になっているので携帯が可能である。
【０００２】
従来、本を乗せる書見台はあったが、最近の本（文芸書・小説など）は、読書中にページをめくって次のページを読もうとすると、めくったページがもどってきて、大変な読書の妨げとなる。
この様な事で、最近は書見台を使うことはなく、手で持って読書をしている。
しかし、手で持って読書をすると、手が疲れて長時間続かない。
【０００３】
昨今読書離れが進んでいると言われているが、慌しい現代においては、心静かに自分を取り戻し、読書をして、新しい知識を学び、将来にその知識を生かす為にも、読書は必要不可欠な時代である。
本発明は少しでも読書の手助けができないかという発想から発明したものである。
【０００４】
以下でその構成を説明すると、
（イ）主板１に台板３を板バネ２で取り付ける
（ロ）主板１の下部裏面に、ページ止め４の付いた、ページ止め軸受け８をビス７で取り付ける
（ハ）リング５にページ止め４を通して台板３の裏側下部に取り付ける
以上の様に装着する。
【０００５】
次に、本発明の実施形態を述べると、読書中にページを読み終えて、ページをめくって次のページに移る時、読み終えたページの上から指で下に押して台板３を下に動かす。すると、ページ止め４はリング５で台板３と一体になっているので、ページ止め４も下に動き、ページ止め軸受け８を中心にして回転し、ページ止め４の先端が上にあがり読み終えたページをはさみこむ。（図３）
下に押していた指を放すと板バネ２の弾力で台板３が上に動き元の位置に戻る。すると台板３とリング５で一体となっているページ止め４も台板３と一体で上に動き、ページ止め軸受け８を中心にして逆回転して元の位置に戻ってページ止めの先端で挟み込んでいたページを戻らない様に固定させることができる。（図４）
尚、ページ止め４の根元部分をコの字形にして台板３をはさみこむようにして取り付ければリング５は不要である。（図５）
指で下に押して放す事で本のページを固定させる書見台である。
又、板バネ２を、キックバネ、押しバネなど他の弾力を持つ物に代えて使用しても同じ効果がある。さらに、台板３をアクリル樹脂板、発泡塩ビ板など弾力性を持つ素材にして、主板１に取り付ければ板バネ２を使用しなくても同じ効果があり、構成も簡単になる。（図６）
【０００６】
従って、最近の本（文芸書・小説など）であっても、読書中にページが戻って読書の妨げになる事なく、又、本を手で持ちながら読書しなくてもすみリラックスして、楽しく、長時間の読書ができ昨今の読書離れにも歯止めがかかる。
【図面の簡単な説明】
【図１】本発明の正面図である。
【図２】本発明の背面図である。
【図３】本発明の使用中の図である。（ページをめくってページの上から指で下に押しているところ）
【図４】本発明の使用後の図である。（ページを固定した状態）
【図５】ページ止め４の根元部分をコの字形にしてリング５を不要にした図
【図６】本発明の台板３をアクリル樹脂板、発泡塩ビ板などの弾力性を持つ素材にした構成図である。
【符号の説明】
１は主板
２は板バネ
３は台板
４はページ止め
５はリング
６は底板
７はビス
８はページ止め軸受け
９は蝶つがい
１０は本乗せ板
１１は書見台止め
１２は本
【図１】
2004313712.tif 000003
【図２】
2004313712.tif 000004
【図３】
2004313712.tif 000005
【図４】
2004313712.tif 000006
【図５】
2004313712.tif 000007
【図６】
2004313712.tif 000008
(57)【要約】［課題］  種々の小物をあらゆる場所に、あたかも空間に浮かんでいるかのように展示することのできる器具を提供すること。［解決手段］  展示する小物を収納した透明容器に保持部を取り付け、この保持部に自由に折り曲がるアームを接続し、さらに、その先端に吸盤、磁石、クリップ等を取り付ける。【選択図】    図１
2004313717.tif 000002
【特許請求の範囲】
【請求項１】
二分割できる透明容器（１）のそれぞれに穴（６）を設けこの穴（６）に合致するピン（５）を有する保持部（２）を形成し、透明容器（１）と保持部（２）とを、ピン（５）と穴（６）とを合致させることによって一体化する。且つ、この保持部（２）に屈曲自在アーム（３）を連結し、さらに、その先端に吸盤、磁石、クリップ等の外部取り付け具（４）を装着したことを特徴とする小物展示ホルダー。
【発明の詳細な説明】
【０００１】
［発明の属する技術分野］
本発明は、人形、マスコット、造花、等いろいろな小物を空間に展示することのできる小物展示ホルダーに関するものである。
【０００２】
［従来の技術］
従来、人形やマスコット、造花、お守り等を、例えば自動車内に展示するには、人形等を細紐等で結んで吸盤にてフロントガラス等に吊り下げていた。
従って、ぶらぶらと揺れ動いて、忙しくゆったりと鑑賞できなかった。又、物によっては細紐で結ぶのが不可能なものもあった。
【０００３】
［発明が解決しょうとする課題］
本発明は、上記のような事情によりなされたもので、展示するものを透明な容器に収納して、あたかも空間に浮かんでいるかのように展示しようとするものである。透明な容器に収納するだけなので細紐等で結ぶ必要もなく、あらゆる小物を静止した状態で展示することができる。
【０００４】
［課題を解決するための手段］
展示する小物を収納する二分割できる透明容器を形成し、この容器を支持する保持部、並びに容器の位置を自由自在に調整できるアームを連結し、さらにその先端に外部取り付け用の吸盤、磁石、クリップ等を装着した構造により上記の課題を解決することができる。
【０００５】
［発明の実施の形態］
実施例に関して図面により説明すると、上半部と下半部とに分割できる透明容器（１）にＵ字形の保持部（２）のピン（５）を穴（６）にはめ込んで取り付けてから自由自在に折り曲げられる屈曲自在アーム（３）を連結し、さらに、その先端に吸盤等の外部取り付け具（４）を装着する。なお、透明容器（１）の形状は球形、卵形、楕円形、円盤等、種々の形状が考えられるがいずれの形状の場合にも保持部（２）のピン（５）に合致する穴（６）を上半部並びに下半部に有するものとする。又外部取り付け具（４）として吸盤、磁石、クリップ、等を使用すれば、ガラス、タイル等の平滑面、冷蔵庫やスチール机、ホワイトボード等のスチール製品、木製品の板部分等あらゆる場所に取り付けることができるし、屈曲自在アーム（３）の先端を文鎮等の重り（９）に接続すれば図４のように卓上用としても使用できる。さらに、屈曲自在アーム（３）に関しては、屈曲性に富むアルミ線を使用したり自在球を使用したものが適当と認められる。
【０００６】
［発明の効果］
本発明の効果について述べると、先ず、透明容器（１）を上下に分割して人形等の展示するものを収納して上下を合体させ、保持部（２）のピン（５）を透明容器（１）の穴（６）にはめ込んで透明容器（１）と保持部（２）とを一体化させる。次に、吸盤等の外部取り付け具（４）をフロントガラス（７）等に吸着させてから屈曲自在アーム（３）を調節すれば好みの位置に展示物（８）を展示することができる。従来のようにぶらぶらしない上に、あたかも空間に浮かんでいるように見えて興味を引く展示が可能となる。展示物の交換もワンタッチで行なうことができ、展示できる場所も広範囲で、例えばカー用品として自動車内に、家庭用、事務所、公共施設、ディスプレイ器具等広範な用途が期待できる。又、展示する小物は、人形、マスコット、キャラクター商品、造花、お守り、縁起物、郷土玩具、等あらゆる小物がその対象となる。シンプルな構造ながら個人用に、業務用にと遊び心を満足させる商品を提供できる。
【図面の簡単な説明】
【図１】実施例の使用状態を示す斜視図である。
【図２】透明容器の斜視図である。
【図３】保持部の斜視図である。
【図４】卓上用としての使用例を示す斜視図である。
【符号の説明】
１は透明容器    ２は保持部  ３は屈曲自在アーム
４は外部取り付け具  ５はピン  ６は穴  ７はフロントガラス
８は展示物  ９は重り
【図１】
2004313717.tif 000003
【図２】
2004313717.tif 000004
【図３】
2004313717.tif 000005
【図４】
2004313717.tif 000006
(57)【要約】【課題】労働やスポーツで足裏が疲れた人の、個人個人の足の大きさや幅に凹凸を自由に選んで押すと気持ち良い足裏箇所を押し刺激することができ、シャワー時の使用可能で、足の汚れと石や砂利など凸形状物に付着した汚れを同時に洗い流し清潔にすることを同時にできる道具を提供する。【解決手段】底部（１）の全端に周囲壁部（３）を設けて底部（１）に石や砂利の動き難くする凸凹部（２）を設ける。底部（１）とつながる周囲壁部（３）の交差する角に排水可能な穴部（４）を設け、この容器体の中に石や砂利など凸形状物（５）を配置する。周囲壁部（３）角に滑り止め（６）を設けたことを特徴とする。【選択図】  図３
2004313711.tif 000002
【特許請求の範囲】
【請求項１】
底部及び周囲壁部からなる石や砂利など凸形状物を収納可能な容器体底部に排水可能な複数の穴部と石や砂利など突起物が移動しにくい凸凹を設け、石や砂利など凸形状物を入れ、人が家屋内の部屋や風呂場のシャワー時に上記容器体を床に置きこの上記容器体に入れられた石や砂利など凸形状物の上に上がり、自由に自分の足の大きさに凸凹を合わせることができ足の裏ツボを刺激し、又、足踏みすることにより足裏の汚れと石や砂利など凸形状物に付着した汚れを同時に落とし洗い流すことを特徴とする足裏刺激洗浄具。
【発明の詳細な説明】
【０００１】
【発明の属する技術分野】
この発明は例えば人が労働やスポーツなどで足裏が疲れ時に足の裏を刺激し足裏のこりを和らげ
シャワー時には同時に足裏の汚れを洗浄するときに用いられることを特徴と足裏刺激洗浄具に関するものである。
【０００２】
【従来の技術】
従来、人の足裏には東洋医学でツボがあると言われていますが、竹踏みやプラスチック成形された突起を踏むことで行われています。
【０００３】
【発明が解決しようとする課題】
これは、つぎのような欠点があった。
（イ）足裏のツボを刺激するために突起物を極端に多く配置した形状が多く、その上に上がると足裏が痛すぎて使用すると逆に足裏に痛みが残ってしまう。
（ロ）足裏の大きさは人体により違うが、画一された竹踏みやプラスチック成形品の大きさでは、個々の足に合わず充分足裏のこりや疲れを取ることができない。
（ハ）風呂場のシャワー時には木製は腐れるので使用に向かず、プラスチック成形品では浴槽床ですべり使用には危険である。
（ニ）使用する人の足の汚れが竹踏みやプラスチック成形品に付着し不衛生である。
本発明は、以上のような欠点をなくすためになされたものである。
【０００４】
【課題を解決するための手段】
本発明はこれらの課題を解決することを目的とし、本発明は請求項１記載の底部及び周囲壁部からなる石や砂利など凸形状物を収納可能な容器体底部に排水可能な複数の穴部と石や砂利を含む突起物が移動しにくい凸凹を設け、石や砂利など凸形状物を入れ人が家屋内の部屋や風呂場のシャワー時に上記容器体を置き、上記容器体に入れられた石や砂利など凸形状物の上に上がり自由に自分の足の大きさに凸凹を合わせ足の裏を刺激し、又、足踏みすることにより足裏の汚れと石や砂利など凸形状物に付着した汚れを同時に落とすことを特徴とする足裏刺激洗浄具にある。
【０００５】
【発明の実施の形態】
以下、本発明の実施形態について説明する。
底部（１）の全端に周囲壁部（３）を設ける。
底部（１）に凸凹部（２）を設ける。
底部（１）とつながる周囲壁部（３）の交差する角に排水可能な穴部（４）を複数設ける。
底部（１）と凸凹部（２）に石や砂利など凸形状物（５）を配置する。
周囲壁部（３）に滑り止め（６）を設ける。
本発明は、以上のような構造でこれを使用するときは、底部及び周囲壁部からなる石や砂利など凸形状物を収納可能な容器体に入った石や砂利など凸形状物の上に人が足で上がり個人の足の大きさや刺激したい箇所を自由に選び移動し家屋内やシャワー時に使用することで足裏を刺激及び洗浄ができる。
【０００６】
【発明の効果】
本発明は上記の如く、底部及び周囲壁部からなる石や砂利など凸形状物を収納可能な容器体底部に排水可能な複数の穴部と石や砂利など凸形状物が移動しにくい凸凹を設け、上記容器体に石や砂利など凸形状物を入れ、人が家屋内の部屋や風呂場のシャワー時にこの上記容器体に入れられた石や砂利など凸形状物の上に上がり使用する人の足の大きさや刺激したい箇所に凸凹を自由に合わせ足の裏を刺激し、又、足踏みすることにより足裏の汚れを落とし体も気持ちも疲れを取ることができる。シャワー時には石や砂利など凸形状物に付いた汚れも同時に水により洗い流せる又、シャワーの時間内に体の洗浄と足裏の疲れ部を刺激できるので時間を有効に使える。又、家屋内にいながら自然の石や砂利などの上を歩く感覚になれることを特徴とする足裏刺激洗浄具にある。
【図面の簡単な説明】
【図１】本発明の形態例の全体斜視図である。
【図２】本発明の形態例の断面図である。
【図３】本発明の形態例の使用状態の横断面図である。
【符号の説明】
１  底部
２  凹凸部
３  周壁部
４  穴部
５  石や砂利などの突起物
６  滑り防止部品
【図１】
2004313711.tif 000003
【図２】
2004313711.tif 000004
【図３】
2004313711.tif 000005
(57)【要約】【課題】入浴中にて浴槽内のあまり必要とされないスペースを無くす事によりそのスペース部分に必要な水、水を沸かす為に必要なエネルギーを節約することが出来る。【解決手段】吸盤と吸盤を押さえる部品を用いて耐熱性のある風船状の物を取り付ける。またチェーン等でつなぐことにより長さを調節する。【選択図】  図３
2004313714.tif 000002
【特許請求の範囲】
【請求項１】
吸盤と吸盤を押さえる為の耐熱性の部品とを耐熱性のある風船状の物を取り付け、浴槽底、側面に取り付けるもの。
【請求項２】
吸盤と耐熱性のある風船状の物を錆びないチェーンなどでつなぎ長さを調節できるもの。
【発明の詳細な説明】
【０００１】
【発明の属する技術分野】
本発明は、吸盤に耐熱性のある風船状の物を取り付け、吸盤を浴槽底、側面に吸い付かせることにより浴槽内のお湯かさを増すことができるため、水道代、ガス、灯油代等風呂に入る為に必要なエネルギーを節約することが出来る。また残り湯が減るので汚水量も減る。
【０００２】
【従来の技術】
現状ではペットボトルに水を入れ浴槽の底に置いてあるアイデアだけで水の消費は削減できるものの結局沸かす為のエネルギーは削減できずにいた。また浴槽の底にキズが付くペットボトルが重い掃除の時に邪魔になるなど問題点も多かつた。本発明は今までにない全く新しい発明であり実用性の高い物である。
【０００３】
【発明の実施の形態】
本発明は、一般家庭における風呂浴槽内での使用を目的とし、浴槽内の浴槽底、側面に本発明を取り付けるもの。
【０００４】
【発明の効果】
吸盤により浴槽内に耐熱性のある風船状の物を取り付けることにで、お湯かさを増すことによりその分に必要であったエネルギー代、水とそれを沸かすために必要なエネルギーを節約することができる、またその分の汚水を減らすことも出来る。
【図面の簡単な説明】
【図１】吸盤と吸盤を押さえる部品の側面図である
【図２】吸盤と風船との接続図である
【図３】本発明の実施例を示す様式図である
【符号の説明】
１  吸盤
２  風船
３  チェーン
４  浴槽
５  吸盤を押さえる部品
【図１】
2004313714.tif 000003
【図２】
2004313714.tif 000004
【図３】
2004313714.tif 000005
(57)【要約】【課題】空気の逆入による水分の混入を止めると共に、不活性ガスの消費、蒸留ガスの放出を減らす蒸留装置を提供する。【解決手段】蒸留用混合液を入れ、その蒸留用混合液を沸点に加熱する蒸留フラスコ１０の上壁に枝管１２付きの蒸留管１１を立設し、蒸留管１１の枝管１２を冷却器１３の下端の出口１３ａに連結し、この冷却器１３により蒸留用混合液からの蒸留ガスを凝縮して冷却器１３の出口１３ａから留出液を得る蒸留装置において、蒸留フラスコ１０の内部に不活性ガスを調整可能に吹き込む給気管１６を設けると共に、冷却器１３の上端に連結管１８によって柔軟なバック１９を連結し、バッグ１９の排出口に水が入った複数の容器２１，２２を直列に接続する。【選択図】  図１
2004313987.tif 000002
【特許請求の範囲】
【請求項１】
蒸留用混合液を入れ、その蒸留用混合液を沸点に加熱する蒸留フラスコの上壁に枝管付きの蒸留管を立設し、上記蒸留管の枝管を冷却器の下端出口に連結し、この冷却器により蒸留用混合液からの蒸留ガスを凝縮して上記冷却器の下端出口から留出液を得る蒸留装置において、
上記蒸留フラスコの内部に不活性ガスを調整可能に吹き込む給気管を設けると共に、上記冷却器の上端に連結管によって柔軟なバックを連結し、上記バッグの排出口に水が入った複数の容器を直列に接続した、ことを特徴とする蒸留装置。
【発明の詳細な説明】
【０００１】
【発明の属する技術分野】
本発明は、蒸留用混合液を蒸留フラスコに入れて沸点まで加熱し、発生した蒸気を凝縮して目的の液体を得る蒸留装置に関する。
【０００２】
【従来の技術】
図２に示すように、蒸留用混合液を入れ、その蒸留用混合液を沸点に加熱する蒸留フラスコ１０の上壁に枝管１２付きの蒸留管１１を立設し、蒸留管１１の枝管１２を冷却器１３の下端の出口１３ａの途中に連結し、この冷却器１３により蒸留用混合液からの蒸留ガスを凝縮して枝管１２を接続した冷却器１３の出口１３ａから留出液を得る蒸留装置は従来から公知である。
尚、図において、１４は蒸留フラスコ１０の下半部を浸漬するオイルバス、１５はオイルバス１４中で蒸留フラスコ１０の底に配置されたヒータを示し、蒸留フラスコ１０中の蒸留用混合液を沸点に加熱する。
【０００３】
【発明が解決しようとする課題】
上記従来の蒸留装置では、蒸留終了後に、蒸留装置内の温度の低下により蒸留装置内の蒸気の液化、減圧により開放した冷却器の上端から蒸留装置の内部に外から空気が逆入し、逆入した空気中の水分が蒸留装置内で結露し、液化した蒸気に混入する。これを避けるために蒸留装置の冷却中に大量の不活性ガスを蒸留装置内に送り込み、冷却器の上端から排出して上端からの空気の逆入を止めねばならず、これにより不活性ガスの消費量が増え、また大量の不活性ガスと共に、蒸留装置内から蒸留ガスも蒸留装置の外に放出されてしまう。
【０００４】
【課題を解決するための手段】
本発明は、空気の逆入による水分の混入を止めると共に、不活性ガスの消費、蒸留ガスの放出を減らすために開発されたもので、蒸留用混合液を入れ、その蒸留用混合液を沸点に加熱する蒸留フラスコの上壁に枝管付きの蒸留管を立設し、上記蒸留管の枝管を冷却器の下端出口に連結し、この冷却器により蒸留用混合液からの蒸留ガスを凝縮して上記冷却器の下端出口から留出液を得る蒸留装置において、上記蒸留フラスコの内部に不活性ガスを調整可能に吹き込む給気管を設けると共に、上記冷却器の上端に連結管によって柔軟なバックを連結し、上記バッグの排出口に水が入った複数の容器を直列に接続したことを特徴とする。
【０００５】
【発明の実施の形態】
図１は本発明の一実施例を示し、前述した図２の従来の蒸留装置に記載されているのと同じ構成要素には同じ符号を付して説明を省略する。
【０００６】
本発明の蒸留装置では蒸留フラスコ１０内の底にステンレス管からなる給気管１６で不活性ガス、例えば窒素ガスを送り込む。蒸留量に見合った不活性ガスを送り込むため、上記給気管１６には流量調整器１７を設け、送り込む不活性ガスの流量を調整する。こうすることで蒸留フラスコ１０内の蒸留用混合液を不活性ガスでバブリングし、蒸留時の突沸現象の発生を防止することができる。
【０００７】
冷却器１３の上端の出口１３ｂは可撓の連結管１８で柔軟なバッグ１９の一端に連結され、蒸留フラスコ１０内に吹き込まれ、冷却器１３中を上向流した不活性ガスをバッグ１９の内部に貯留する。
【０００８】
上記バッグ１９の他端の排出口には、水が入った複数、図では２つの第１、第２容器２１，２２を直列に接続する。具体的にはバッグ１９の排出口から延びる排出管２０は手前の第１容器２１中に上から浅く水の上に突入し、次いで一端が第１容器２１の水面に浸り（または僅かに水面下へ入る）とともに、他端が第２容器２２の水中に１ｃｍ位突入した逆Ｕ字管２３が両容器２１，２２を直列に接続し、第２容器２２中に一端を上から水の上に浅く突入させた管２４の他端が外に開放する。これにより蒸留中に蒸留フラスコ１０に吹き込まれる不活性ガスが蒸留管１１、その枝管１２、及び冷却器１３を経てバッグ１９に貯留され、バッグ１９が満杯になっても更に継続してバッグ１９に供給される余剰分の不活性ガスを第１、第２容器２１，２２を経て管２４から外に排出し、その後、蒸留が終わり、バッグ１９への不活性ガスの供給がストップした場合に、管２４からのガスの逆流時に第１、第２容器２１，２２内の水がバッグ１９へ流れ込むのを防止することができる。
【０００９】
蒸留終了後、蒸留装置内の蒸気の液化、減圧により管２４から空気が逆入しようとするが、バッグ１９が収縮してバッグ１９中に貯留された不活性ガスが冷却管１３、蒸留管１１を経て蒸留フラスコ１０に逆流し、蒸留装置内の液化、減圧を相殺することにより蒸留装置外の空気及び水分の混合を止める。
【００１０】
【発明の効果】
本発明によれば、蒸留装置の稼働中、柔軟なバッグ中にバブリング用不活性ガスを蓄えるので、不活性ガスを外に排出する量を減少でき、無駄が防げる。更に、蒸留終了後、蒸留装置内の蒸気の液化、減圧により外の空気が蒸留装置内に逆入しようとしたときにはバッグが収縮することによってバッグ中に貯留された不活性ガスが蒸留装置内に逆入し、蒸留装置内の液化、減圧を相殺することにより蒸留装置の外の空気の逆流及び水分の混合を止めることができる。
【図面の簡単な説明】
【図１】この発明の一実施例の説明図である。
【図２】従来の蒸留装置の説明図である。
【符号の説明】
１０    蒸留フラスコ
１１    蒸留管
１２    蒸留管の枝管
１３    冷却器
１３ａ  冷却器の下端の出口
１３ｂ  冷却器の上端の出口
１５    ヒータ
１６    蒸留フラスコへの不活性ガスの給気管
１７    流量調整器
１８    連結管
１９    柔軟なバッグ
２０    柔軟なバッグの排出管
２１    水を入れた第１容器
２２    水を入れた第２容器
２３    逆Ｕ字管
２４    管
【図１】
2004313987.tif 000003
【図２】
2004313987.tif 000004
(57)【要約】【課題】杖の転倒防止のための装着が容易にでき、場所をとらず、利用が想定される場所に容易に設置ができ、誰でも利用できるホルダーを提供する。【解決手段】馬蹄形で杖の装着が容易にできるホルダー本体（１）に、取替え可能な吸盤（２）、パイプ用ホルダー（３）やビス穴（４）をもうけ、設置を容易にし、場所をとらないことを特徴とする。【選択図】      図１
2004313675.tif 000002
【特許請求の範囲】
【請求項１】
馬蹄形をした弾力性からなるホルダー本体後部に、タイル面、パイプ部や木部等へ取付けることのできる取付け手段を設けたことを特徴とした杖ホルダー。
【発明の詳細な説明】
【０００１】
【発明の属する技術分野】
この発明は、一般的な杖の転倒防止用ホルダーで、杖の装着が容易で取付け部を取り替えることによりタイル面・パイプ部・木部に取付けることができる杖ホルダーに関するものである。
【０００２】
【従来の技術】
従来、杖を使用しないときは壁に立てかけたり、膝で挟んだり、傘立てに差し込んで置いていた。
【０００３】
【発明が解決しようとする課題】
これは次のような欠点があった。
イ．一般的な杖を、壁に立てかけて置くと倒れたり、第三者が躓いたりして杖が倒れたりしていた。
ロ．杖を、膝で挟んで他の用事をするのもなかなか大変である。
ハ．一般的に傘立ては、入口付近にあるためそれ以降の杖による行動が制約を受けている。
本発明は、以上の欠点を解決するためになされたものである。
【０００４】
【課題を解決するための手段】
ホルダー本体（１）が馬蹄形をしており、杖の装着を容易にし、取付け部を吸盤（２）、パイプ用ホルダー（３）、ビス穴（４）に取り替えることにより、いろいろな場所での取付け利用ができる。
本発明は、以上の構成よりなる杖ホルダーである。
【０００５】
【発明の実施の形態】
以下、本発明の実施の形態を説明する。
（イ）馬蹄形の弾力性のプラスチック製ホルダー本体（１）の奥部に取付け部用のビス穴（４）をもうける。
（ロ）ホルダー本体（１）にタイル面などに利用できる着脱可能な吸盤（２）を取付ける。
（ハ）または、パイプ部に利用できる着脱可能なパイプ用ホルダー（３）を取付ける。
本発明は、以上の構成よりなっている。
【０００６】
【発明の効果】
本発明を使用することによって、杖の上部をホルダー本体に差し込むだけで固定でき、取付け部を取り替えることで、洗面所・便所などのタイル面、ベッドサイド・車椅子などのパイプ部、銀行・市役所のカウンター付近や一般家庭の下駄箱付近などに設置でき、不特定多数の杖利用者が、使用することができる。
【図面の簡単な説明】
【図１】本発明の斜視図
【符号の説明】
１  ホルダー本体
２  吸盤
３  パイプ用ホルダー
４  ビス穴
５  ビス
【図１】
2004313675.tif 000003
(57)【要約】【課題】ペットボトルの搬送時の負荷の軽減やグラス等へ注ぐ動作をサポートするためのボトルフックハンドルを提供する。【解決手段】リング状の本体（１）に大きさの違う２つの穴（２）、穴（３）を設ける。片方の穴（２）、の部分をボトルのキャップ部にかぶせ、もう片方の穴（３）側へスライドさせることを特徴とする。【選択図】  図１
2004313680.tif 000002
【特許請求の範囲】
【請求項１】
リング状の本体に大きさの違う２つの穴を設け本体の一部の両側に凸部（４）、凸部（５）を設けたボトルフックハンドル。
【発明の詳細な説明】
【０００１】
【発明の属する技術分野】
この発明は、たとえばペットボトルを持ち運ぶ時の動作の負担を軽減するために使うもので、片方の穴の部分をボトルのキャップ部にかぶせ、もう片方の穴側へスライドさせて使えるようにした。ボトルフックハンドルに関するものである。
【０００２】
【従来の技術】
従来は、ペットボトルの重く太い本体や首の部分を掴んで持ち運んだり、又グラス等に注いだりする。
ところが、扱いにくく子供やお年寄りには大変苦しい動作を強いられる。
買い物時や食卓上での搬送にも両手を添えたりするなど不便さを感じていた。
【０００３】
【発明が解決しようとする課題】
従来のペットボトルには次のような欠点があった。
従来のペットボトルは、本体の素材が柔らかいためにしっかり掴むことができず、搬送時やグラス等に注ぐ際に不便を感じた。
本発明は、これらの欠点を除くためになされたものである。
【０００４】
【課題を解決するための手段】
リング状の本体（１）に大きさの違う２つの穴（２）、穴（３）を設ける。
片方の穴（２）、の部分をボトルのキャップ部にかぶせ、もう片方の穴（３）側へスライドさせる。
本発明は、以上の構成よりなるペットボトルフックハンドルである。
【０００５】
【発明の実施の形態】
以下、本発明の実施の形態を説明する。
リング状の本体（１）に大きさの違う２つの穴（２）、穴（３）を設ける。
フックハンドルの大きい穴の部分をペットボトルの首の部分に取り付け、もう片方の小さい穴側へカチッと音がするまでスライドさせる。
本発明は、以上のような構成で、これを使用するときは、フックハンドル部に指を掛けることにより搬送時の負荷の軽減や、グラス等に注ぐ動作をサポートすることができる。
【０００６】
【発明の効果】
ペットボトルの首の部分にボトルフックハンドルを取り付け、スライドさせ装着することにより、搬送時の負荷の軽減やグラス等へ中身を注ぐ動作をサポートし、安心で確実なものにする。
【図面の簡単な説明】
【図１】本発明の表側から見た斜視図である。
【図２】本発明の裏側から見た斜視図である。
【図３】本発明の使用状態（表側）を示した斜視図である。
【図４】本発明の使用状態（裏側）を示した斜視図である。
【符号の説明】
１  本体
２  穴
３  穴
４  凸部
５  凸部
【図１】
2004313680.tif 000003
【図２】
2004313680.tif 000004
【図３】
2004313680.tif 000005
【図４】
2004313680.tif 000006
(57)【要約】【課題】現在市販されているマッサージ器は、外観上また外形上各種乗物、各種会場、各種仕事場等への導入が困難であった。【解決手段】マッサージ機構を座席の下に収納出来るようにして、必要な時だけ取り出して使用できるようにすることで、通常は普通の椅子として使用できるようにし、全ての場所への導入を可能にした。【選択図】    図１
2004313677.tif 000002
【特許請求の範囲】
【請求項１】
座席の下部等に収納出来る脚部のマッサージ機構。
【請求項２】
【請求項１】のマッサージ機構を組み込んだ、または取り付けたもの、たとえばマッサージ器、椅子、机など。
【発明の詳細な説明】
【０００１】
【産業上の利用分野】この発明は、マッサージ器の構造に関するものである。
【０００２】
【従来の技術】従来の脚部マッサージ機構は、固定されているか、前方に持ち上げることしか出来なかった。
従って、マッサージ機構が突出しまたままで収納できない為に、寸法的にも、外観的にも、通常の椅子として、各種乗り物、各種会場及び事務用椅子等としては、導入出来なかった。
【０００３】
【発明が解決しようとする課題】マッサージ機構が通常の作業又生活の邪魔にならない様にして、マッサージ器として使用しない時には、収納出来るようにし、寸法的にも、外観的にも普通の椅子等として使用できるようにし、より多くの場所で使用できるようにする。
【０００４】
【問題を解決するための手段】マッサージ機構を回転及びスライドさせることにより収納する。
【０００５】
【発明の実施の形態】
図１及び図２は、回転できる継ぎ手２で、脚部のマッサ  ージ機構を着座部の下に取り付け、矢印７の方向に回転させて収納するものである。
図３及び図４は、脚部のマッサージ機構１をスライド機構により矢印９の方向にスライドさせて、椅子の下に収納するものである。
図５、図６及び図７は、脚部のマッサージ機構を回転させて収納する機構と、スライドさせて収納する機構の両方を持ったもので、よりコンパクトな収納を可能にしたものである。
図８及び図９は普通の椅子に取り付け及び取り外しが  出来るようにしたもので、図８は椅子の座面の下側に、取り付け具１０により取り付けるものである。図９は椅子の下部のポールに、取り付け具１１により取り付けるものである。
【０００６】
【発明の効果】
脚部のマッサージ機構１を椅子の下に収納出来るようにすると、マッサージ機構を使用せず椅子の下部に収納した状態では、外観的にも、寸法的にも普通の椅子としての使用が可能となる。
普通の椅子としての使用が可能となると、各種乗り物、各種会場及び事務用等の椅子まで幅広く導入が可能に成り、このような場所で長時間座ったままで居る為に生じる疲れを取ると同時に血栓の発症を防ぐことが出来、健康を維持する上で有効である。
【図面の簡単な説明】
【図１】側面図
【図２】側面図
【図３】側面図
【図４】側面図
【図５】側面図
【図６】側面図
【図７】側面図
【図８】側面図
【図９】側面図
【符号の説明】
１    脚部のマッサージ機構
２    回転出来る継ぎ手
３    椅子の着座部
４    背もたれ
５    支柱
６    床
７    回転方向を示す矢印
８    スライド機構
９    スライド方向を示す矢印
１０  取り付け具
１１  取り付け具
１２  回転方向を示す矢印
【図１】
2004313677.tif 000003
【図２】
2004313677.tif 000004
【図３】
2004313677.tif 000005
【図４】
2004313677.tif 000006
【図５】
2004313677.tif 000007
【図６】
2004313677.tif 000008
【図７】
2004313677.tif 000009
【図８】
2004313677.tif 000010
【図９】
2004313677.tif 000011
(57)【要約】【課題】手動噴出式の歯洗浄器に関して、噴出口部が硬質の材質で出来ているので、水流を噴出させるためピストンを押す時に、歯肉部に噴出口部が接触していると、痛みを生じ、力強く押すことが出来ず歯間部のカスを除去するに要する強力な水流を得にくかった。【解決手段】手動噴出式の歯洗浄器の噴出口部を、軟質のゴム又は軟質のプラスチックで作った。これにより、歯肉に接触した状態でピストンを強く押して洗浄操作を行っても歯肉部に痛みが生じないので、歯間のカスの除去に要する強力な水流が容易に得られる。【選択図】        図３
2004313679.tif 000002
【特許請求の範囲】
【請求項１】
手動噴出式の歯洗浄器において、噴出口部を軟質のゴム又は軟質のブラスチックで作り歯肉部に接触して噴出操作を行っても、歯肉部に痛みを生じさせない様にしたことを特徴とする手動噴出式の歯洗浄器の噴出口部の方式。
【発明の詳細な説明】
【０００１】（発明の属する技術分野）
家庭日用雑貨
【０００２】（従来の技術）
【０００３】（発明考案が解決しようとする課題）
歯に付いたカスを、除去する方法としては、歯ブラシや歯間ブラシが用いられているが、最近水等の液体（以下水と記す）噴出力で洗浄する方法も使われている。
本発明は水噴出洗浄器で手動で水を噴出させる機器に関するものである。
該当する機器は、注射器の様な構造になっていて、ピストンを押し込むことにより先端の噴出口より水流が出る。
従来品は噴出口部も他の部分（シリンダ部等）と同一材質で出来ていたり、又は噴出口部が異なる材質でも、それが硬質材料で出来ている為、使用時に歯肉部に接触させてピストンを押した時、その反力が圧迫力となり痛みを生じたり，最悪の場合傷つけるおそれがあった。その為、従来の洗浄器を使う時には、噴出口部を歯肉部に接触させたくないので、洗浄器全体をしっかり手で持って常に，噴出口の位置をコントロールしなければならなかった。それゆえ、水を噴出させるピストンへの力のかけかたも微妙にコントロールしなければならず、洗浄器に必要とする強力な水流を得るのに要する、強い力をピストンに加えることは難しかった。
即ち、歯間部のカス等の除去に要する強力な水流は得にくかった。
【０００４】（発明考案が解決しようとする手段）
本発明は、その点を改善し歯肉部に接触しても痛みを伴わずに、強力な水流を得られる様にしたものである。
注射器状の洗浄器はシリンダを形成する本体部と、水を押し出すピストンで構成されている。先端の噴出口部に軟質のゴム又は軟質のプラスチックを取り付ける。この軟質材は軟らかく歯肉部になじむので、歯肉部に押し付けてピストンを押しても反力により生ずる歯肉への圧迫力を分散させるから、歯肉部に痛みを生じさせ無い。これにより、図−３の様に歯間部及び歯肉部にピストン軸が垂直になる様な状態で接触してピストンを押しても、痛みを生じさせること無く水流を発生させることが出来るので、噴出口位置のコントロールをしなくしも、歯間のカス等を除去するのに十分な強さの水流を容易に発生出来る。
軟質材の取り付け方法は、圧入、コーティング、接着、モールディング等色々ある。
【０００５】（作用）
【０００６】
【０００７】（実施例及び効果）
図−２
図−４
【図面の簡単な説明】
【図１】従来の手動式洗浄器（部分断面図）
【図２】本発明の洗浄器（断面図）
【図３】本発明の洗浄器が歯肉部に接触して使われている状態（部分断面図）
【図４】軟質材を被った噴出口部が、別部品構造になっている例（断面図）
【図１】
2004313679.tif 000003
【図２】
2004313679.tif 000004
【図３】
2004313679.tif 000005
【図４】
2004313679.tif 000006
(57)【要約】【課題】普通のスペア巻紙セットは布を輪にして、その輪の中にスペア巻紙をストツクした物であった。従って取り付けたり、取り替えたりするには、子供や老人には手間が掛かり不便な所があった。その欠点をのぞくのが目的である。【解決手段】その欠点をなくすため、樹脂製の板をＪ形に製作して（２）の先端を（５）へ差し入れると上部の（１）で止まる図５。そして（２）の中へ（６）を乗せて置く図６、図６の上部の（６）を使いきった時は（２）の底を上方に押し上げれば下の（６）がワンハンドでセットされる図５、後は又、（２）の中に（６）をストックすればよい図６。【選択図】  図１
2004313676.tif 000002
【特許請求の範囲】
【請求項１】
樹脂製の板をＪ形にするもの、上部は両端を縦に渦巻きにした場所（１）、下部は半円形に曲げた場所（２）、トイレのスペア巻紙のワンハンドセット器。
【発明の詳細な説明】
【０００１】
【発明の属する技術分野】
この発明は、トイレの巻紙セットにスペア巻紙をセットする、更に本体の巻紙が無くなった時にワンハンドでセットできる、トイレのスペア巻紙のワンハンドセット器に関するものである。
【０００２】
【従来の技術】
従来の、スペア巻紙のセットは布を輪にして、その輪の中にスペア巻紙をストックした物であった。したがって取り付け、取り替えに手間が掛かり、更に巻紙の出し入れが不便であり、又紙切り布カバーの取り付けも手数であった。
【０００３】
【発明が解決しようとする課題】
本発明は、その欠点をなくすために、樹脂製の板の上部の両端を縦の渦巻きにする（１）、下部を半円形に曲げ（２）、そのスペア巻紙のワンハンドセット器を図４の隙間（５）へ、半円形（２）の先端を差し入れると、上部（１）の縦の渦巻きの所で止まる。そのセットされた半円形（２）の中に巻紙（６）を乗せ、スペア巻紙のワンハンドセット器を上下させる作用を発見した。
【０００４】
【課題を解決するための手段】
樹脂製の板の下部を半円形（２）の先端から本体図４の紙切りカバー（４）の奥の隙間（５）より差し入れてセットする図５、次に細棒（３）を上部の両端の縦の渦巻き（１）へ、細棒（３）の両端を正面よりはめ込む図２。
そして半円形（２）の中に巻紙（６）を乗せる図６、上部の巻紙が無くなった時には半円形（２）の底より上方へ押し上げると巻紙（６）がセットされ、手を放すとスペア巻紙のワンハンドセット器が自然に下方に下がる図５。後は又、半円形（２）の中へ巻紙（６）を乗せて置けばよい図６。
【０００５】
【発明の実施の形態】
本発明は以上のように簡単な構成てせあるから、図４にセットする時も手間や時間もかからず簡単である。しかもスペア巻紙のワンハンドセット器を一度セットすれば後は巻紙（６）を（２）の中へ乗せて置けば、上部の巻紙（６）が無くなった時は何時でも半円形（２）の底を上方へ押し上げるとスペアの巻紙（６）がワンハンドでセットされる。
【０００６】
【発明の効果】
本発明は以上のように簡単な構成であるから、コストも安く、又、巻紙の先端をはがして、スペア巻紙のワンハンドセット器に乗せて置けば、子供や老人でも簡単にセットする事ができる、故に主婦はトイレの巻紙の事には心配する事がなく安心して家事を行う事が出来た。
【図面の簡単な説明】
【図１】本発明の側面図
【図２】本発明の縦の渦巻きへ細棒をはめ込んだ正面図
【図３】本発明の斜視面図
【図４】本発明の本体である（ワンハンドカット式紙巻器）の斜視面図
【図５】本発明をセットした斜視面図
【図６】本発明に巻紙をセツトした斜視面図
【符号の説明】（１）は両端が縦の渦巻き（２）は半円形（３）は細棒
（４）は紙切りカバー（５）は隙間（６）は巻紙
【図１】
2004313676.tif 000003
【図２】
2004313676.tif 000004
【図３】
2004313676.tif 000005
【図４】
2004313676.tif 000006
【図５】
2004313676.tif 000007
【図６】
2004313676.tif 000008